(57)【要約】【課題】不正行為の早期発見を可能とするとともに、不正行為の摘出率や監視システムの有用性の向上を図り、かつ、遊技ホールの管理者等の監視負担を軽減する。【解決手段】撮像装置１１が、遊技機４０の筐体内部あるいは前扉背面に設置されている。この撮像装置１１において、その筐体内側等が撮影されると、この画像データが、中継装置２１，２２を介して島コンピュータ２３へ送られ、さらに、ホストコンピュータ２５からディスプレイ３１へ送られて表示される。島コンピュータ２３において、複数の画像データが記憶され、画像ａのサンプル点における輝度情報と、画像ａから所定時間前に撮影された画像ｂのサンプル点における輝度情報との変化量が検出される。この検出量が所定量を超過しているときは、不正行為が発生したものと判断される。【選択図】　　　図１
2004141199.tif 000002
【特許請求の範囲】
【請求項１】
遊技機の筐体内部及び／又は前扉背面に設置されて、前記筐体内部及び／又は前記前扉背面を撮影する撮像手段と、
常時又は所定時間経過ごとに前記撮像手段から送られてきた画像データを処理する画像処理手段と、
この画像処理手段からの画像を表示する表示手段とを有した
ことを特徴とする遊技機不正監視システム。
【請求項２】
前記撮像手段が、各前記遊技機ごとに設けられた
ことを特徴とする請求項１記載の遊技機不正監視システム。
【請求項３】
前記撮像手段が、ＣＭＯＳセンサカメラユニットを含む
ことを特徴とする請求項１又は２記載の遊技機不正監視システム。
【請求項４】
前記撮像手段が、前記前扉の開閉に伴って移動するように、前記前扉背面に固定された
ことを特徴とする請求項１，２又は３記載の遊技機不正監視システム。
【請求項５】
前記画像処理手段が、前記遊技機の遊技データを管理するホストコンピュータを有し、
このホストコンピュータが、前記画像データを一括管理する
ことを特徴とする請求項１，２，３又は４記載の遊技機不正監視システム。
【請求項６】
前記画像処理手段が、複数の前記撮像手段からの前記画像データを島ごとに収集して前記ホストコンピュータへ送る一又は二以上の島コンピュータを有した
ことを特徴とする請求項５記載の遊技機不正監視システム。
【請求項７】
前記画像データが、前記遊技機の筐体内部及び／又は前扉背面の全体又は一部の状態変化を検出するための状態情報を含み、
前記画像処理手段が、前記画像データから前記状態情報を取り出し、この取り出した状態情報にもとづいて、不正行為の発生の有無を判断する
ことを特徴とする請求項１〜６のいずれかに記載の遊技機不正監視システム。
【請求項８】
前記画像データが、前記状態情報として輝度情報を含み、
前記画像処理手段が、前記撮像手段の一つから送られてきた複数の前記画像データを記憶し、この記憶した複数の前記画像データの中から二以上の画像データを選択し、この選択した二以上の画像データから同一位置同士の前記輝度情報をそれぞれ取り出し、これら取り出した輝度情報の変化量にもとづいて、不正行為の発生の有無を判断する
ことを特徴とする請求項７記載の遊技機不正監視システム。
【請求項９】
前記画像処理手段が、前記選択した二以上の画像データから同一位置同士の前記輝度情報をそれぞれ取り出し、これら取り出した輝度情報の変化量を検出し、この検出した変化量が所定量を超過しているときに、前記不正行為が発生したものと判断し、一方、前記変化量が前記所定量を超過していないときに、前記不正行為が発生していないものと判断する
ことを特徴とする請求項８記載の遊技機不正監視システム。
【請求項１０】
前記画像処理手段が、
複数の前記撮像手段から受け取った前記画像を、一つの画面に合成し、この合成したマルチ合成画像を前記表示手段へ送って表示させる
ことを特徴とする請求項１〜９のいずれかに記載の遊技機不正監視システム。
【請求項１１】
前記ホストコンピュータからの異常発生信号にもとづいて、不正行為が発生した旨を報知する警報手段を有した
ことを特徴とする請求項１〜１０のいずれかに記載の遊技機不正監視システム。
【請求項１２】
前記ホストコンピュータからの異常発生信号にもとづいて、不正行為が発生した旨を電話機へ通報する自動通報手段を有した
ことを特徴とする請求項１〜１１のいずれかに記載の遊技機不正監視システム。
【請求項１３】
遊技機の筐体内部及び／又は前扉背面に設置された撮像手段が、前記筐体内部及び／又は前記前扉背面を撮影するステップと、
この撮像手段からの画像データを画像処理手段が処理するステップと、
この画像処理手段からの画像を表示手段が表示するステップとを有した
ことを特徴とする遊技機不正監視方法。
【発明の詳細な説明】
【０００１】
【発明の属する技術分野】
本発明は、遊技機に関し、特に、不正行為を監視する監視機能を備えた遊技機に関する。
【０００２】
【従来の技術】
遊技ホールには、通常、多くの遊技機（たとえば、パチンコ機，スロットマシン機など）や、遊技周辺機器（たとえば、遊技媒体計数機，両替機，台間玉貸し機など）が設置されている。
そして、遊技ホールにおいては、不正に遊技媒体を獲得する行為（以下、単に「不正行為」という）が多く発生している。
【０００３】
この不正行為の具体例としては、たとえば、遊技機内に不正ＲＯＭを取り付ける行為や、配線の途中に不正回路を組み込む行為などがある。これらの行為が発生すると、入賞時に既定数以上の遊技媒体が払い出される等、正規の遊技が無視されたり、ホール側の設定等が勝手に変更されたりして不正に遊技媒体が払い出されていた。
このような不正行為は、遊技ホール側に損害を与えるだけでなく、遊技者間の公平性も損なわれる。このため、従来から、その不正行為の発見・防止に関して種々の対策が講じられてきた。
【０００４】
たとえば、不正行為発生の有無を映像で監視するシステムとして、遊技機や台間玉貸し機で発生した不正行為を検出する検出手段（検出スイッチ、検出センサ等）と、遊技機周辺を撮影するために遊技機上方や台間玉貸し機などに設けられた撮像手段と、検出手段からの検出信号にもとづいて撮像手段に遊技機周辺を撮影させる制御手段と、撮像手段からの画像を録画する録画手段と、この録画された画像を表示する表示手段とを有したものがある（例えば、特許文献１，２，３，４参照、第一の従来技術。）。
【０００５】
この第一の従来技術における検出手段には、例えば、遊技機の前扉（スロットマシン機の前面ドアやパチンコ機のパチンコ台）等の開閉を感知するセンサ（開閉検出センサ）や、物体の通過・物体による遮断等を感知するセンサ（遮断検出センサ），人が接近してきたことを感知するセンサ（接近検出センサ）などがある。
これらのうち、開閉検出センサは、スロットマシン機の前面ドアやパチンコ機のパチンコ台等に取り付けられており、それら前面ドアやパチンコ台の開閉を検出する。そして、この検出手段からの検出信号にもとづいて、撮像手段が遊技機周辺や遊技者を撮影し、表示手段がその画像を表示する。
そして、遮断検出センサや接近検出センサは、遊技機内部に取り付けられており、手や道具，不正ＲＯＭなどが進入してきたことを検出する。
【０００６】
この第一の従来技術によれば、不正ＲＯＭを取り付けるために遊技機の前扉が開けられると、この開扉の検出にもとづいて撮像手段が遊技機の全体を撮影するため、遊技ホールの管理者や従業員等（以下、総称して「遊技ホールの管理者等」という）は、その撮影された映像を表示手段で視認することで不正行為を発見・予測できる。
【０００７】
また、遊技機器（遊技機と遊技周辺機器とを含む）を操作する遊技者や遊技ホールの管理者等の正面や手元等を撮影できるように、撮像手段が、その遊技機器に取り付けられたものがある（例えば、特許文献５参照、第二の従来技術。）。この第二の従来技術を用いれば、遊技ホール側は、遊技者や遊技ホールの管理者等の不振な行為を、その撮像手段の画像を用いて監視できる。
【０００８】
また、複数の遊技機器に撮像手段を設けて遊技中の遊技者や作業中（あるいは、不正行為の実行中）の遊技ホールの管理者等を撮影し、その複数の撮像手段からディジタル撮像データを収集し、この収集したディジタル撮像データを画面縮小処理してマルチ画面化処理し、このマルチ画面データを順次画面表示するものがある（例えば、特許文献６参照、第三の従来技術。）。
この第三の従来技術を用いれば、複数の遊技機器の映像を一つの画面で一度に表示できるため、遊技ホール側は、そのマルチ画面により複数の遊技機器における不正行為を一度に監視できる。
【０００９】
また、遊技ホール（パチンコ店）に配置された撮像手段（ハンディタイプのディジタルビデオカメラ）によって撮影され記録手段で保存された画像データを、インターネットを介してサービスセンタへ送信するものがある（例えば、特許文献７参照、第四の従来技術。）。
この第四の従来技術を用いれば、インターネットに接続されたサーバやクライアント間で画像データの送受信が可能となるため、遊技ホールの管理者等は、各クライアントに接続された複数台の表示手段のいずれにおいても、画像を表示させて不正行為を監視できる。
【００１０】
また、島のパチンコ台連設面を撮影する監視カメラ（撮像手段、ＴＶカメラ）と、パチンコ台本体あるいは前面ドアの開状態を検知して開放検知信号を出力する開放検知センサと、監視カメラの映像を録画する録画装置と、輝度信号の変化を比較して進入者を検知する進入者自動検出装置とを有した自動監視システムであって、監視カメラが、複数のパチンコ台が並ぶ島と、島間に挟まれた通路とを撮影するものがある（例えば、特許文献８参照、第五の従来技術。）。
この第五の従来技術を用いれば、監視カメラが、遊技機や通路，遊技者等を広角的に撮影するため、遊技ホール側は、ＴＶモニタに映し出された広い範囲の遊技ホールの画像を見て、その遊技機における不正行為を監視・発見できる。
【００１１】
【特許文献１】
特許第３０２２３８５号
【特許文献２】
特開平１０−０４９７６２号公報
【特許文献３】
特開平１１−１５６０３２号公報
【特許文献４】
特開２０００−０６１１２２号公報
【特許文献５】
特開平８−２８０９１１号公報
【特許文献６】
特開平９−３２２１５２号公報
【特許文献７】
特開２００１−０１７７１５号公報
【特許文献８】
特開２００２−０５２２３５号公報
【００１２】
【発明が解決しようとする課題】
上記のように、第一の従来技術においては、撮像手段による遊技機周辺の撮影が、検出手段による前面ドアの開扉等の検出時に一回だけ行われる場合、撮像手段は、その開扉後に行われる不正行為そのものを撮影することができなかった。不正ＲＯＭを取り付けるなどの不正行為は、人が遊技機に近づき、前扉が開けられ、その内部に手などが入れられてはじめて行われる。つまり、検出手段の検出対象である遊技機の前扉の開閉，物体の進入・通過，人の近接などの行為は、不正行為が現実に発生する（不正ＲＯＭが取り付けられる）前に行われる。
【００１３】
つまり、検出センサからの検出信号出力時と不正行為の発生時とは時間的にずれている。このことから、検出信号にもとづいて一回だけ撮影する撮像手段は、不正行為の発生前の状況しか撮影することができず、不正行為そのものは撮影できなかった。
このため、遊技ホール側は、撮像手段で撮影された映像を見ただけでは、どのような不正が行われたか、実際に犯行に及んでいるか、不正行為後の遊技機内部の状態がどうなっているかなどを判断・確認することができなかった。
【００１４】
さらに、第一の従来技術においては、撮像手段が、検出信号にもとづいて一回だけ撮影する場合に限らず、検出信号の入力後複数回あるいは入力後一定時間、撮影を行う場合もあった。
これらの場合において、遊技機の前扉の開閉，物体の進入・通過，人の近接などの行為は、不正行為の発生前だけでなく、たとえば、遊技ホールの従業者等が営業時間内や営業時間終了後に保守点検等が必要とされる場合にも行われていた。そして、検出手段は、遊技機の前扉の開閉等を検出すれば、その前扉の開閉等が不正行為以外の理由で行われたとしても、検出信号を出力していた。
このため、撮像手段は、現に不正行為が発生している遊技機を撮影することが目的でありながら、その不正行為が発生していなくても遊技機周辺を撮影していた。
【００１５】
つまり、第一の従来技術においては、前扉の開閉等の行為が不正行為のよるものか否かについて判断されることなく、ともかく前扉の開閉等が行われれば無条件で撮像手段が動作していた。
このことから、撮像手段は、不正行為の発生台を撮影するといった目的を完全には果たしきれず、非効率的な監視行為を余儀なくされていた。
【００１６】
そして、撮像手段が、検出手段の入力後複数回あるいは入力後一定時間、撮影を行う場合、その撮影され表示された映像に不正行為が映し出されているか否かを判断するのは、遊技ホールの管理者等自身であった。
ところが、不正ＲＯＭを取り付けるなどの不正行為は、遊技機の内部で行われるのに対し、撮像手段は、遊技機を外側から映そうとするものにすぎなかった。このため、遊技ホールの管理者等は、表示手段に表示された映像を見ても、遊技機の前に立つ者（作業者、不正行為者）の体などが邪魔になって、その遊技機内部での作業実態（不正行為の内容）を知ることができなかった。
このことから、遊技機の前扉を開けた者が、本当に不正行為をはたらいているのか、あるいは保守点検等を行っているのかをその場で判断するのが困難となっていた。
【００１７】
そして、遊技ホールの管理者等は、その映像を見て、不正行為が発生した可能性があると判断すると、その後、実際にその遊技機の設置されているところまで行ってその内部を点検していた。
ここで、不正行為が不正ＲＯＭの取り付けなどの場合、その取り付けられた不正ＲＯＭを見つけ出すことは容易ではなかった。このため、いくら点検を行っても、その不正行為を見過ごしてしまうこともあった。
そうすると、不正行為の早期発見に支障をきたすだけでなく、不正行為を摘出する確率を低下させる結果となっていた。
このことから、第一の従来技術は、不正行為の早期発見には不向きであるとともに、モニタ監視が常時必要となって遊技ホールの管理者等の業務負担を増大させ、かつ、不正行為摘出率の低下にともなって監視システム自体の信頼性・有用性の低下を引き起こしていた。
【００１８】
また、第二，第三，第四の従来技術においては、撮像手段で撮影された映像が、常時あるいは所定時間経過ごとに、表示手段で表示されており、遊技ホールの管理者等は、不正行為を発見するために、その表示画面を常時あるいは随時見ながら監視しなければならなかった。
ところが、不正行為は、頻繁に発生するものではない。
このため、第二，第三，第四の従来技術を用いて不正行為を監視した場合、遊技ホールの管理者等は、いつ起こるかわからない不正行為の発生をひたすら待ち続けることとなるため、業務上の負担となっていた。
【００１９】
また、第五の従来技術においては、連設された遊技機や、これら遊技機が両側に並ぶ通路，この通路を通る遊技客などをＴＶカメラで監視し、画像認識により不正行為の発生を判断している。
ところが、営業時間中は、通路では常時、遊技客や遊技ホールの管理者等の往来があり、また、遊技中の者も座りながら少なからず動いている。このため、それら遊技者や遊技ホールの管理者等を映し出した画像は、常時様々に変化していることから、その画像におけるどの変化部分が不正行為に該当するかを判断・区別することは容易ではなかった。
さらに、ＴＶカメラは、遊技機の外観を捉えているため、遊技機の内部で行われる不正行為を直接捉えることができなかった。このため、不正行為の発見を遅らせたり、発見を困難なものとしていた。
【００２０】
本発明は、上記の事情にかんがみなされたものであり、不正行為そのものの発生状況を確実に撮影して不正行為の早期発見を可能とするとともに、自動で確実に不正行為の発生判断を行って不正行為の摘出率や監視システムの信頼性・有用性を飛躍的に向上でき、かつ、不正行為の監視や判断など遊技ホールの管理者等の業務負担を軽減可能とする遊技機不正監視システム及び遊技機不正監視方法の提供を目的とする。
【００２１】
【課題を解決するための手段】
この目的を達成するため、本発明の請求項１記載の遊技機不正監視システムは、遊技機の筐体内部及び／又は前扉背面に設置されて、筐体内部及び／又は前扉背面を撮影する撮像手段と、常時又は所定時間経過ごとに撮像手段から送られてきた画像データを処理する画像処理手段と、この画像処理手段からの画像を表示する表示手段とを有した構成としてある。
【００２２】
遊技機不正監視システムをこのような構成とすると、撮像手段が遊技機の筐体内部や前扉背面に設置されてそれら筐体内部あるいは前扉背面を撮影するため、開閉した前扉，進入した物体，近づいた人や手指等だけでなく、その筐体内部や前扉背面における不正行為後の改造部品等をも直接映像として取り込むことができる。
第一〜第五の従来技術においては、撮像手段が遊技機の外部に設けられていたため、不正行為者の体などが妨げとなって、遊技機内部での不正行為の実態を捉えることができなかった。
【００２３】
これに対し、本発明の遊技機不正監視システムは、撮像手段が遊技機の内側から筐体内面や前扉背面を撮影するため、不正行為者の体が妨げとはならず、確実に、不正行為そのものの発生状況を画像として捉えることができる。
これにより、遊技ホールの管理者等は、表示手段に表示された画像が不正行為の実態を映し出していることから、前扉を開扉した者が保守点検等をおこなっているか、それとも不正行為を行っているか、不正行為であればどのような不正が行われたか、不正行為後の遊技機内部の状態がどうなっているかなどを判断・確認することができる。
【００２４】
特に、遊技ホールの管理者等は、その画像に映し出された筐体内面や前扉背面等において、見覚えのない装置や部品等を見つけ出すことで、容易に不正行為の発生の事実をつかむことができる。
したがって、不正行為の早期発見を可能とし、不正行為の監視や判断などについての遊技ホールの管理者等の業務負担を軽減できる。
【００２５】
さらに、不正行為の発生の確認が容易となり、その見落としが減少することから、不正行為の摘出率や不正監視システムの信頼性を向上できる。
また、不正行為そのものの発生状況が必ず画像として撮影・記録されているため、わざわざ遊技機まで行って不正ＲＯＭの存在を確認しなくてもよくなる。
加えて、後日明らかになった不正行為についての発生時期や不正内容などを、その画像を用いて十分に証明できることから、不正監視システムの有用性を飛躍的に高めることができる。
【００２６】
そして、その撮像手段が筐体内部等を常時あるいは所定時間経過ごとに撮影することで、第一の従来技術における検出手段からの検出信号にもとづき撮影していたときの問題点（たとえば、検出手段からの検出信号出力時と不正行為の発生時とがずれていることにより撮像手段が不正行為そのものを直接撮影できないという問題や、検出手段からの検出信号の出力が不正行為の発生時以外、たとえば、遊技ホールの管理者等による遊技機の保守点検等においても行われることで撮像手段の動作が非効率的となるという問題など）を解消できる。
このことからも、遊技機不正監視システムは、第一の従来技術に比べて、不正行為の摘出率やそのシステムの有用性を向上できる。
なお、本発明の遊技機不正監視システムに検出手段が無いことからも、上記の各問題は起こり得ない。
【００２７】
さらに、撮像手段が撮影の対象とする遊技機の筐体内部又は前扉背面は、通常人の手が加わらないところであるため、遊技ホールが営業時間中であっても、撮像手段で撮影された画像に変化は生じないはずである。このため、画像処理手段は、画像処理を行って画像の一部が変化したことを摘出すれば、不正行為が発生したものと特定できる。
これに対し、第五の従来技術は、遊技ホールの通路や連接する遊技機等を撮影しているため、営業時間中は常時画像に変化が生じている。このため、不正行為を判断する場合は、それら複雑な変化の中から所定のパターンに適合した変化を摘出しなければならず、さらに、この摘出した変化を不正行為と断定することは容易ではなかった。
これらのことから、本発明の遊技機不正監視システムは、第五の従来技術に比べて、不正行為の摘出を容易かつ確実に行うことができる。
【００２８】
なお、遊技機内部の構成が変化する場合としては、不正ＲＯＭを取り付けるなどの不正行為が発生した場合の他、たとえば、保守点検等により部品が交換、増設等される場合がある。
しかし、部品交換や部品増設が行われるときは、通常、それら交換・増設部品自体が前もって遊技ホールの管理者等に知らされているか、あるいは交換・増設されることが報告されている。さらに、交換・増設部品は画像にも映し出される。
このため、遊技ホールの管理者等は、その画像中の部品を見て、不正行為によるものではないことを容易に判断できる。
【００２９】
また、請求項２記載の遊技機不正監視システムは、撮像手段が、各遊技機ごとに設けられた構成としてある。
遊技機不正監視システムをこのような構成とすれば、撮像手段は、不正行為がいずれの遊技機で発生しても、その発生した不正行為を確実に撮影することができる。
そして、画像処理手段は、どの遊技機で不正行為が発生かを特定できる。
【００３０】
また、請求項３記載の遊技機不正監視システムは、撮像手段が、ＣＭＯＳセンサカメラユニットを含む構成としてある。
遊技機不正監視システムをこのような構成とすると、撮像手段の小型化・薄型化を実現できる。そして、特に遊技機の筐体内部や前扉背面は、さまざまな制御配線，機器・装置類が密集しているため、若干のスペースを確保するだけで撮像手段を設けることができる。
さらに、ＣＭＯＳセンサカメラユニットは、他の撮像手段（たとえば、ＣＣＤカメラ等）に比べて安価であるため、設備費を低減できる。
【００３１】
また、請求項４記載の遊技機不正監視システムは、撮像手段が、前扉の開閉に伴って移動するように、前扉背面に固定された構成としてある。
遊技機不正監視システムをこのような構成とすれば、撮像手段が前扉（スロットマシン機の前面ドア又はパチンコ機のパチンコ台）の背面に固定されているため、前扉が開閉しても、撮像手段は、その前扉の背面における同一部分を同じ角度から撮影し続けることができる。
【００３２】
このため、たとえば、不正ＲＯＭを取り付ける不正行為を監視する場合に、その不正ＲＯＭの取り付けが予測される位置を撮影するように撮像手段を設けることとすれば、前扉が開閉しても、撮像手段は、不正ＲＯＭの取付行為や取り付けけられた状態を撮影できる。
したがって、遊技ホールの管理者等は、不正行為の発生を確実かつ早期に発見できる。
【００３３】
また、請求項５記載の遊技機不正監視システムは、画像処理手段が、遊技機の遊技データを管理するホストコンピュータを有し、このホストコンピュータが、画像データを一括管理する構成としてある。
遊技機不正監視システムをこのような構成とすると、複数の撮像手段で撮影された画像をホストコンピュータで一括管理できる。
【００３４】
なお、遊技データとは、ホールコンピュータで管理されている遊技台等に関するデータをいい、たとえば、ホールコンピュータが複数の遊技台から収集したデータ（台データ）や、このホールコンピュータで加工・編集・演算・保存・表示等されたデータ（加工データ）などを含む。
これらのうち、台データには、セーフ信号，大当り信号，回胴回転スタート信号，確率変動中信号，売上信号，アウト信号及びこれら信号にもとづくデータが含まれる（売上信号及びアウト信号は、別ユニットからの信号）。
ただし、それらセーフ信号，大当り信号，回胴回転スタート信号，確率変動中信号，売上信号，アウト信号及びこれら信号にもとづくデータのすべてを台データに含むこととする必要はなく、たとえば、それらセーフ信号等のうちの一部の信号にもとづくデータのみを台データに含むこととしてもよい。
【００３５】
また、遊技データには、具体的に、たとえば、通し番号，繰越機器番号，繰越時刻，遊技台番号，機種番号，機種名称，ＰＡＳ区分，島番号，補給数，回収数，差引数，出率，ベース，スタート率，大当確率，確率変動ベース，大当回数，スタート回数，確率変動回数，初当回数，打止回数，最終スタート，打込数，手持ち数，大当外補給，大当外回収，確率変動中補給，確率変動中回収，スランプ景品，スランプ売上，解放補給，解放差引，解放後差引数，ドア開閉回数，ガラス解放回数，確率変動中スタート，スタート合計，大当外スタート，確率変動外スタート，確率変動中差引，売上金額，推定景品，割数，玉単価，景品交換金額，粗利，粗利割数，釘設定，段階設定などを含むことができる。
そして、ホールコンピュータは、遊技データと画像データとの双方に対して、所定の処理を実行する。
【００３６】
また、請求項６記載の遊技機不正監視システムは、画像処理手段が、複数の撮像手段からの画像データを島ごとに収集してホストコンピュータへ送る一又は二以上の島コンピュータを有した構成としてある。
遊技機不正監視システムをこのような構成とすれば、各撮像手段で撮影された画像を島単位で管理できる。特に撮像手段が多数の場合は、島単位で画像を管理する方が処理効率を向上できる。
【００３７】
また、請求項７記載の遊技機不正監視システムは、画像データが、遊技機の筐体内部及び／又は前扉背面の全体又は一部の状態変化を検出するための状態情報を含み、画像処理手段が、画像データから状態情報を取り出し、この取り出した状態情報にもとづいて、不正行為の発生の有無を判断する構成としてある。
【００３８】
遊技機不正監視システムをこのような構成とすると、画像処理手段が、状態情報を用いて自動的に不正行為の発生の有無を判断できる。
特に、遊技機の内部は、保守点検や部品交換，部品増設などが行われない限り、変化は生じない。このため、保守点検等による状態変化を検出可能な情報を用いれば、不正行為の発生の有無を判断できる。
【００３９】
そして、不正行為の判断が、画像処理手段で自動的に行われるため、遊技ホールの管理者等は、常時、表示手段を見て監視していなくてもよくなることから、業務負担の軽減を図ることができる。
なお、状態情報とは、画像データに含まれる情報であって、遊技機の筐体内部あるいは前扉背面の全体又は一部の状態変化を検出可能な情報をいう。
【００４０】
また、請求項８記載の遊技機不正監視システムは、画像データが、状態情報として輝度情報を含み、画像処理手段が、撮像手段の一つから送られてきた複数の画像データを記憶し、この記憶した複数の画像データの中から二以上の画像データを選択し、この選択した二以上の画像データから同一位置同士の輝度情報をそれぞれ取り出し、これら取り出した輝度情報の変化量にもとづいて、不正行為の発生の有無を判断する構成としてある。
【００４１】
遊技機不正監視システムをこのような構成とすれば、一つの撮像装置が撮影した二以上の画像における同一位置同士の輝度情報が、不正部品の取り付けによって変化するため、この輝度情報の変化量にもとづいて、不正行為の発生の有無を判断できる。
さらに、画面上のサンプル点の輝度変化にもとづいて不正行為の発生の有無を判断可能とすることで、データ処理量を削減できる。
【００４２】
また、請求項９記載の遊技機不正監視システムは、画像処理手段が、選択した二以上の画像データから同一位置同士の輝度情報をそれぞれ取り出し、これら取り出した輝度情報の変化量を検出し、この検出した変化量が所定量を超過しているときに、不正行為が発生したものと判断し、一方、変化量が所定量を超過していないときに、不正行為が発生していないものと判断する構成としてある。
【００４３】
遊技機不正監視システムをこのような構成とすれば、不正行為以外の理由で輝度情報が微小に変化した場合は、画像処理手段は、不正行為が発生していないものと判断できる。すなわち、輝度情報の微小変化にもとづく不正行為発生の誤判断を防止できる。
具体的には、たとえば、時刻Ｔ１において特定箇所Ａを撮影した画像Ｇ１と、その時刻Ｔ１から一定時間経過後の時刻Ｔ２において同じ特定箇所Ａを撮影した画像Ｇ２とがある場合において、各画像Ｇ１及びＧ２がそれぞれ一見して同じように見えるものであっても、厳密に言えば、それら画像Ｇ１と画像Ｇ２との間には微小ではあるが輝度情報に変化が生じている。
それら画像を撮影する撮像手段は、主として、像を集約するレンズや、像を捉える受光体、この受光体からの信号を記憶する記憶素子、信号を外部へ出力するインタフェイス、構成各部を制御するＣＰＵや電子回路などを有しており、さらにそれら各構成部を動作させるための電力を供給する電源が備えられている。
このような構成を有した撮像手段が、同一の対照物を複数回撮影する場合は、ユーザが特に設定の変更を行わなければ、各構成部は同一の条件に保たれる。
ところが、それら構成部の条件を厳格に捉えると、必ずしも完全に同一な状態を保ち続けているわけではなく、何らかの微小な差異を常時含んでいる。
たとえば、撮像手段の各構成部を動作させるための電源電圧や電源電流、構成部内に印加される電圧、構成部内を流れる電流は、厳密には、常時完全に同一な値を示しているとはいえず、僅かに変化しあるいは微小な誤差を含んでいる。
これは、各構成部の部品が、劣化や磨耗，消耗，老朽化等により、性能，処理能力，品質等が低下することが原因となって起こる。また、微弱なノイズや電圧降下などが原因となることもある。
このため、画像Ｇ１の撮影時における各構成部の状態と画像Ｇ２の撮影時における各構成部の状態とは、微小ではあるが差異を生じている。これにより、画像Ｇ１における所定部分の輝度情報と画像Ｇ２における所定部分の輝度情報との間においても、微小の変化が生じているものといえる。
そして、このような輝度情報の微小変化が検出されたことで、不正行為が発生したものと判断されると、これは誤判断となる。
そこで、不正行為が発生したか否かの判断に用いるための所定量を設定しておくことにより、輝度情報の変化量が所定量より小さい場合は、不正行為が発生していないものと判断することができる。
これにより、輝度情報の微小変化が検出されたとしても、不正行為が発生したとの誤判断を回避できる。
なお、所定量は変更可能とすることができる。
また、所定量として設定する値によっては、たとえば、遊技機内に差し込んでくる僅かな光が遊技機外の通行人などで遮られて、遊技機内の輝度が変化した場合にも、不正行為が発生していないものと判断することができる。
【００４４】
また、請求項１０記載の遊技機不正監視システムは、画像処理手段が、複数の撮像手段から受け取った画像を、一つの画面に合成し、この合成したマルチ合成画像を表示手段へ送って表示させる構成としてある。
遊技機不正監視システムをこのような構成とすると、遊技ホールの管理者等は、一つの画面で複数の遊技機の状況を一括して効率的に監視できる。
【００４５】
また、請求項１１記載の遊技機不正監視システムは、ホストコンピュータからの異常発生信号にもとづいて、不正行為が発生した旨を報知する警報手段を有した構成としてある。
遊技機不正監視システムをこのような構成とすれば、島コンピュータ等で異常が発生されたことを、自動的に遊技ホールの管理者等に知らせることができる。これにより、遊技ホールの管理者等は、不正行為の監視についての業務負担を軽減できる。
【００４６】
また、請求項１２記載の遊技機不正監視システムは、ホストコンピュータからの異常発生信号にもとづいて、不正行為が発生した旨を電話機へ通報する自動通報手段を有した構成としてある。
遊技機不正監視システムをこのような構成とすると、島コンピュータ等で異常が発生されたことを、遊技ホールの管理者等の有する電話機等に対して、自動的に知らせることができる。これにより、遊技ホールの管理者等は、不正行為の監視についての業務負担を軽減できる。
【００４７】
また、請求項１３記載の遊技機不正監視方法は、遊技機の筐体内部及び／又は前扉背面に設置された撮像手段が、前記筐体内部及び／又は前記前扉背面を撮影するステップと、この撮像手段からの画像データを画像処理手段が処理するステップと、この画像処理手段からの画像を表示手段が表示するステップとを有した方法としてある。
【００４８】
遊技機不正監視方法をこのような方法とすれば、撮像手段が遊技機の筐体内部や前扉背面に設けられているため、不正行為そのものの発生状況を確実に撮影できる。このため、不正行為の早期発見を可能とするとともに、不正行為の摘出率を向上でき、かつ、監視システムの有用性を飛躍的に向上できる。
さらに、画像処理手段が、自動で確実に不正行為の発生判断を行うため、不正行為の監視や判断などについての遊技ホールの管理者等の業務負担を軽減できる。
【００４９】
【発明の実施の形態】
以下、本発明の実施の形態について、図面を参照して説明する。
まず、本発明の遊技機不正監視システム及び遊技機不正監視方法の実施形態について、図を参照して説明する。
図１は、本実施形態の遊技機不正監視システムの構成を示すブロック図である。
【００５０】
同図に示すように、遊技機不正監視システム１は、撮像手段１０と、画像処理手段２０と、表示手段３０とを有している。
ここで、撮像手段１０は、複数の撮像装置１１（以下、総称して「撮像装置１１」という）を有しており、各撮像装置１１は、図２に示すように、複数の遊技機４０（４０−１ａ〜４０−１ｎ〜４０−ｎａ〜４０−ｎｎ）の図３，図４に示す筐体４１の内部あるいは前扉４２の背面にそれぞれ設けられている。
なお、前扉４２とは、開閉機構（たとえば、ちょうつがい等）を介して遊技機筐体４１と接続された遊技機正面の遊技実演部分であって、具体的には、パチンコ機のパチンコ台４２や、スロットマシン機の前面ドアをいう。
【００５１】
この撮像装置１１の一台が撮影する範囲は、筐体４１の内部の全体又は一部、あるいは前扉４２の背面の全体又は一部とすることができる。
ただし、撮影範囲を広い範囲にしてしまうと、細部で行われた不正行為を発見することが困難となる場合もある。このため、撮影範囲はできるだけ狭い範囲とし、特に不正行為が行われ易い部分（たとえば、パチンコ台の制御回路や、各制御回路間を接続するケーブル等）を一又は二以上選び出して、それらを撮影範囲とすることが望ましい。
【００５２】
また、撮像装置１１は、前扉４２の背面を撮影する場合には、この前扉４２が閉じた状態であっても、また開いた状態であっても、その背面内の同一部分を同じ角度から撮影するような位置に設置されることが望ましい。これは、不正行為が不正ＲＯＭの取り付けなどの場合であって、画像処理によりその不正行為を発見しようとするときに、その不正行為の前後の画像で不正ＲＯＭの取付部分のみが変化していることを検出できるようにするためである。
このことを実現するため、撮像装置１１は、図３に示すように、撮像装置固定用支持部材４３を介して前扉（パチンコ台）４２に固定した構造とすることができる。このような構造とすれば、図４に示すように、前扉４２が開けられても、前扉４２が閉じられたときと同じ監視エリア４５を保つことができる。
【００５３】
ところで、撮像装置１１には、たとえば、ＣＭＯＳ（Ｃｏｍｐｌｅｍｅｎｔａｒｙ　Ｍｅｔａｌ−Ｏｘｉｄｅ　Ｓｅｍｉｃｏｎｄｕｃｔｏｒ）センサカメラユニットを用いることができる。
ＣＭＯＳセンサカメラユニットとは、ＣＭＯＳセンサ（ＣＭＯＳプロセスを用いた受光素子とアナログ回路を搭載したイメージセンサ），プラスチックレンズ，信号処理デバイス（ＤＳＰ：Ｄｉｇｉｔａｌ　Ｓｉｇｎａｌ　Ｐｒｏｃｅｓｓｏｒ），周辺部品等をワンパッケージ化した小型のレンズ一体型イメージセンサをいう。
このＣＭＯＳセンサカメラユニット（以下、略して「カメラユニット」という）は、ＣＣＤ（Ｃｈａｒｇｅ　Ｃｏｕｐｌｅｄ　Ｄｅｖｉｃｅ）カメラなどと比べて安価であるため、このカメラユニットを用いることで設備費を削減できる。
【００５４】
このカメラユニットは、ＱＣＩＦ方式により、不正行為がわかる程度（たとえば、１５枚／秒（ＦＰＳ）程度）の画像頻度で常時撮影することができる。
ＣＩＦ（Ｃｏｍｍｏｎ　Ｉｎｔｅｒｍｅｄｉａｔｅ　Ｆｏｒｍａｔ）とは、小型ＴＶカメラユニットの一般的なデータ形式をいう（３５２ピクセル×２８８ピクセル×ＹＵＶ４２２（１６ビット）、２０２．７５ＫＢ／フレーム。フレーム毎数は７．５〜３０枚／秒である）。そして、ＱＣＩＦ（Ｑｕａｒｔｅｒ　ＣＩＦ）とは、画面サイズをＣＩＦの１／４（１７６ピクセル×１４４ピクセル）にしたＣＩＦ形式の画像データ形式をいう。
【００５５】
このカメラユニットで撮影された映像は、ＱＣＩＦフォーマット（１７６ピクセル×１４４ピクセル×（８＋４＋４）約５１ＫＢ／枚×１５枚／秒≒７６５ＫＢ／秒）に変換され、ＵＳＢ回線を介して島コンピュータ２３へ送られる。
このカメラユニットの電源は、同じＵＳＢ回線内の電線を介して、島コンピュータ２３から供給される。
なお、撮像装置１１は、図１においては、カメラユニットを用いているが、カメラユニットに限るものではなく、たとえば、ＣＣＤ（Ｃｈａｒｇｅ　Ｃｏｕｐｌｅｄ　Ｄｅｖｉｃｅｓ）カメラなどを含むＴＶカメラ等を用いることもできる。
【００５６】
また、撮像装置１１は、各遊技機４０ごとに、一又は二以上設けることもできる。
特に、遊技機４０がスロットマシン機の場合は、前面ドア（前扉）４２の背面だけでなく、筐体４１の内部全体においても、制御配線や装置・機器類が配設されているため、撮像装置１１を筐体４１の内部の複数箇所に設けることが望ましい。
なお、遊技機４０がパチンコ機の場合は、制御配線や装置・機器類のほとんどがパチンコ台４２の背面に組み込まれていることから、撮像装置１１は、そのパチンコ台４２の背面全体を撮影できる位置に一つのみ設けることとしてもよく、また、二つ以上設けてもよい。
【００５７】
さらに、撮像装置１１には、この撮像装置１１に写らない電波を利用した不正行為にも対応できるように、電波検知用の高輝度ＬＥＤを撮像装置１１の視野に置き、電波を輝度変化として撮影することもできる。
また、撮像装置１１には、この撮像装置１１に写らない磁界を利用した不正行為にも対応できるように、撮像装置１１の視野に磁針（コンパス）を置き磁針の動きを輝度変化として、撮影することもできる。
【００５８】
それから、撮像装置１１には、暗視ＴＶカメラとするように赤外線投影用のランプを設けることもできる。
なお、夜間の監視では作業者が不正改造作業のために照明を使用することから、画像の輝度が変化して不正行為を撮影することができる。
【００５９】
画像処理手段２０は、中継装置（台中継装置）２１ａ〜２１ｎ（以下、「中継装置（台中継装置）２１」という）と、中継装置（島中継装置）２２（２２ａ〜２２ｎ）と、島コンピュータ２３ａ〜２３ｎ（以下、「島コンピュータ２３」という）と、スイッチング中継装置２４と、ホストコンピュータ２５とを有している。
【００６０】
台中継装置２１は、複数の撮像装置１１から画像データを取り込む装置であって、たとえば、ＵＳＢ（Ｕｎｉｖｅｒｓａｌ　Ｓｅｒｉａｌ　Ｂｕｓ）ハブを用いることができる。
ＵＳＢハブとは、ＵＳＢポートを増やすための集線装置をいう。このため、ＵＳＢハブには、複数の撮像装置１１を接続することができる。
【００６１】
島中継装置２２は、複数の台中継装置２１から画像データを島単位で取り込む装置であって、台中継装置２１と同様にＵＳＢハブを用いることができる。
ただし、撮像装置１１の台数が少ない場合などにおいては、台中継装置２１を省略して、各撮像装置１１を島中継装置２２に直接接続することもできる。
【００６２】
島コンピュータ２３は、プログラム制御により動作するコンピュータであって、各島ごとに設けられており、島中継装置２２や台中継装置２１を介して各撮像装置１１から画像データを収集し、画像処理する。
画像データの収集について、島コンピュータ２３は、たとえば、撮像装置１１がカメラユニットの場合、カメラユニット１６（〜２５）台分の画像データを取り込み、一定時間（たとえば、６０秒間）記録することができる。
【００６３】
この島コンピュータ２３は、各カメラユニットから取り込んだ複数の画像データの中から、所定間隔ごと（たとえば、１枚／秒）に画像データを間引きして、画像認識対象画像とする。
そして、島コンピュータ２３は、間引きした画像データの中から、同時刻のカメラユニット画像を所定台数分（たとえば、１６台分）集めて、これらを１画面（たとえば、縦４画像、横４画像に配置）に合成してマルチ画像３２とする。そして、このマルチ画像データをＪＰＥＧ圧縮して、カメラユニット番号と、格子状に配置した画像の位置情報とともに、ホストコンピュータ２５へＬＡＮ等を用いて伝送する。
【００６４】
さらに、島コンピュータ２３は、カメラユニット画像中の予め定めたサンプル点（数点）の状態情報（たとえば、輝度情報等）の変化を、所定時間前（例えば、１秒前など）の同一カメラユニットの画像の輝度情報との差分から検出する。そして、予め定められた条件（所定量）を超過した変化がある場合は、異常と判定し、ホストコンピュータ２５へ通知する（異常判定及び異常通知）。
なお、状態情報とは、画像データに含まれる情報であって、遊技機４０の筐体内部あるいは前扉背面の全体又は一部の状態変化を検出するための情報をいう。
この異常判定については、後述する。
【００６５】
そして、島コンピュータ２３は、ホストコンピュータ２５の要求（画像データ転送要求）により、島コンピュータ２３内に記録されている異常発生カメラユニットの過去所定時間（例えば、６０秒間など）の画像データをＪＰＥＧ圧縮してホストコンピュータ２５へ転送する。
【００６６】
なお、画像認識を画面のサンプル点の輝度変化を捉える方式に代えて、画面を複数に分割して各々の平均分割領域の輝度変化を捉える方式とすることもできる。
正常時の撮像装置１１の各測定における輝度パターンを記憶しておき、各撮像装置１１の画面の測定点における輝度のばらつきが無くなったときは、撮像装置１１の故障又は撮像装置１１の視野が遮蔽物で遮断されたとみなし、撮像装置１１の障害アラームを発生させる。
さらに、複数の撮像装置１１の輝度信号の変化を関連付けて判定することにより、単一の撮像装置１１の輝度変化からでは判定できない外乱ノイズの状況も弁別することができる。
【００６７】
なお、島コンピュータ２３においては、画像認識方法を、輝度認識に代えてパターン認識とすることができる。
この場合、パターン認識でパターンの変化があってから所定時間経過した後もパターン変化前のパターンにならないときは改造がなされたと判定するよう条件式を作成することができる。
【００６８】
スイッチング中継装置２４は、複数の入力の切り換え機能（スイッチング機能）を有した中継装置であって、たとえば、スイッチングハブを用いることができる。
スイッチングハブは、個々のポートに接続されたイーサネット（登録商標）デバイス（ネットワークカード）の物理アドレス（ＭＡＣアドレス）を学習し、通信に必要なポート同士を直結してデータのやり取りを行えるようにする。
【００６９】
スイッチングハブは、どのポートにどんなハードウェアアドレスを持ったコンピュータが接続されているかを学習する機能があるため、データの宛先に指定されたコンピュータが接続されているポートを認識しそのポートに対してのみデータが送られるため、伝送速度が大幅に向上する。
【００７０】
ホストコンピュータ２５は、プログラム制御により動作するコンピュータであって、
このホストコンピュータ２５は、受信した各島コンピュータ２３のマルチ画像データをＪＰＥＧ伸長し、表示手段３０（たとえば、ＣＲＴなど）に、カメラユニット１６台分を１画面として、カメラユニットの番号に対応する遊技機４０の台番号とともに表示する。
なお、カラー表示することもできる。
【００７１】
また、ホストコンピュータ２５は、島コンピュータ２３から異常情報を受け取ったときは、島コンピュータ２３にこのカメラユニットの過去一定時間（６０秒間）のＪＰＥＧ圧縮画像の転送を要求し、島コンピュータ２３から転送される画像を受け取る。
【００７２】
さらに、ホストコンピュータ２５は、受け取った６０秒連続画像を、ホストコンピュータ２５の記憶装置に記録するとともに、ＪＰＥＧ伸長し、カメラユニットの番号に対応する遊技機４０の台番号とともに連続画像として画像表示装置に表示する。
【００７３】
このホストコンピュータ２５においては、パチンコ台とスロットマシンの違い、メーカや機種の違いを考慮し、遊技機毎にカメラユニット画像の中からサンプル点が数点選ばれる。
サンプル点は、画像を格子状に分割した格子の交点の中から、ホストコンピュータ２５で指定された数点をサンプル点とすることができる。
【００７４】
ホストコンピュータ２５は、たとえば、輝度の変化（差分）の絶対値が設定値を超えたとき，一定時間の輝度の変化（差分）が設定値を超えたとき，サンプル点の輝度の変化（差分）パターンが設定値を超えたとき等において、不正行為が発生したものと判断するための条件を設定値としてサンプル点の位置情報と共に、システム起動時、または設定値やサンプル点の位置情報が変更されたとき、島コンピュータ２３に対して通知する。
設定値は、ホストコンピュータ２５から島コンピュータ２３に対して指定することができる。
【００７５】
このホストコンピュータ２５においては、異常発生時に島コンピュータ２３から送られてきた画像を記録することができる。
ホストコンピュータ２５側で画像を記録しておくことにより、島コンピュータ２３側ではリアルタイムの処理を継続しながら、ホストコンピュータ２５側で異常発生時の映像を繰り返し、通常速度又はスローで再生表示し、確認することができる。
【００７６】
さらに、ホストコンピュータ２５は、島コンピュータ２３からの判定結果が異常発生（不正行為の発生）を示す場合は、異常発生信号を警報手段５０（後述）や自動通報手段６０（後述）へ送ることができる。
ホストコンピュータ２５が異常発生信号を警報手段５０等へ送ることにより、それら警報手段５０等は、自動的に遊技ホールの管理者等へ不正行為の発生を知らせることができる。このため、遊技ホールの管理者等は、常時あるいは随時モニタを監視していなくても、不正行為の発生を知ることができる。これにより、遊技ホールの管理者等の業務負担を軽減できる。
【００７７】
表示手段３０は、ホストコンピュータ２５からの画像を表示する装置であって、たとえば、ディスプレイ３１ａ〜３１ｎ（以下、総称して「ディスプレイ３１」という）を用いることができる。
このディスプレイ３１には、ＬＣＤ（Ｌｉｑｕｉｄ　Ｃｒｙｓｔａｌ　Ｄｉｓｐｌａｙ：液晶ディスプレイ），ＣＲＴ（Ｃａｔｈｏｄｅ−Ｒａｙ　Ｔｕｂｅ：ブラウン管），プラズマディスプレー（Ｐｌａｓｍａ　Ｄｉｓｐｌａｙ）などを用いることができる。
【００７８】
さらに、ディスプレイ３１は、図５に示すようなマルチ画像３２を表示可能とする。
マルチ画像３２は、同図に示すように、たとえば、画面が１６分割（分割エリアＺｏｎｅ１（Ｚ１）〜Ｚｏｎｅ１６（Ｚ１６））されており、各撮像装置１１で撮影された画像ごとに、対応する分割エリアで表示される。
たとえば、撮像装置１１−１〜１１−１６で撮影された画像は、それぞれ分割エリアＺ１〜Ｚ１６で表示させるようにすることができる。
【００７９】
この表示手段３０は、マルチ画像３２から、各撮像装置１１ごとの画像を取り出し、単一画像として表示することができる。
また、表示手段３０は、マルチ画面表示時異常の発生した撮像装置１１の画像の全部又は一部分を明滅表示することもできる。
さらに、表示手段３０は、マルチ画面再生時に、島の撮像装置１１の全部を一枚のマルチ画面に表示するのではなく、異常の発生した撮像装置１１の時系列画面を、一枚のマルチ画面に表示することもできる。これにより、異常の内容が時系列でコマ撮り写真のように表示できる。
【００８０】
遊技機４０には、スロットマシン機、パチンコ機、アレンジボール機、雀球機などが含まれる。
なお、本実施形態においては、画像データを記憶する手段や装置によって画像記録装置を構成するものとする。つまり、画像記録装置には、主として島コンピュータ２３やホストコンピュータ２５が含まれる。
ただし、画像記録装置に、撮像装置１１，台中継装置２１，島中継装置２２，スイッチング中継装置２４，ディスプレイ３１を含むこともできる。
【００８１】
さらに、遊技機不正監視システム１には、図６に示すように、警報手段５０を設けることができる。
警報手段５０は、ホストコンピュータ２５からの異常発生信号にもとづいて、スピーカによる警報音の発生，表示灯（警告灯）による点灯，回転灯による回転・点灯などを行って、不正行為の発生を周囲に警報・報知する。
【００８２】
また、遊技機不正監視システム１には、図７に示すように、自動通報手段６０を設けることができる。
自動通報手段６０は、ホストコンピュータ２５からの異常発生信号にもとづき、モデム７０を介して遊技ホールの管理者等の電話機８０（固定電話あるいは無線電話等）にダイアルし、異常発生カメラユニット番号やカメラ画像等を通知する。
モデム７０と電話機８０との間は、図７においては点線で示してあるが、有線又は無線の通信回線を経て接続することができる。
この自動通報手段６０とモデム７０は、ホストコンピュータ２５内に設けることもできる。
【００８３】
これら警報手段５０や自動通報手段６０等を遊技機不正監視システム１に設けることにより、ホストコンピュータ２５は、不正行為が発生した旨を遊技ホールの管理者等に対して自動的に知らせることができる。
したがって、遊技ホールの管理者等は、撮像手段で撮影された画像をモニタで常時あるいは逐次監視していなくてもよくなることから、不正行為の監視についての業務負担を軽減できる。
【００８４】
次に、本実施形態の遊技機不正監視システムの動作（遊技機不正監視方法）について、図８を参照して説明する。
同図は、遊技機不正監視方法の手順を示す動作手順図である。
同図に示すように、撮像手段１０の各撮像装置１１において、常時あるいは随時、遊技機４０の内部や背面の映像がＱＣＩＦ形式で撮影されて画像データが生成される（ステップ１０）。
なお、撮影速度は、不正行為が発見できる程度、たとえば、１５枚／秒（ＦＰＳ）程度とすることができる。
【００８５】
この画像データが、ＱＣＩＦフォーマットに変換され（ステップ１１）、ＵＳＢ回線を介して画像処理手段２０へ送出される（ステップ１２）。
画像処理手段２０の中継装置（台中継装置）２１において、各撮像装置１１から画像データが集められて、中継装置（島中継装置）２２へ送られる。そして、この中継装置（島中継装置）２２で集められた画像データが島コンピュータ２３へ送られる。
【００８６】
島コンピュータ２３において、収集された画像データが、ＪＰＥＧ圧縮されて一定時間分（たとえば、６０秒分など）記憶される（ステップ１３）。
そして、所定時間経過後、その記憶された複数の画像データの中から、所定時間間隔ごと（たとえば、１秒間隔ごとなど）の画像データが間引きされ、画像認識対象画像とされる（ステップ１４）。
【００８７】
この画像認識対象画像が、同時刻における所定台数分（例えば、１６台分）集められ、１画面に合成され、マルチ画像３２とされ、ＪＰＥＧ圧縮される（ステップ１５，ステップ１６）。
そして、そのマルチ画像データ（圧縮画像データ）が、カメラユニット番号と、格子状に配置した画像の位置情報とともに、スイッチング中継装置２４を介してホストコンピュータ２５へ伝送される（ステップ１７）。
【００８８】
ホストコンピュータ２５において、受け取ったマルチ画像データがＪＰＥＧ伸長され、表示手段３０のディスプレイ３１へ送出される（ステップ１８，ステップ１９）。
ディスプレイ３１において、各遊技機４０の内部で撮影された画像が、撮像装置１１の番号に対応する遊技機４０の台番号とともに、マルチ画面により表示される（ステップ２０）。
【００８９】
ところで、島コンピュータ２３においては、画像データに含まれている状態情報（ここでは、輝度情報）を用いて、次のような異常判定が行われる（ステップ２１）。
島コンピュータ２３において、予め定められた撮像装置１１の一画像におけるサンプル点（数点）の輝度の変化が、同一撮像装置１１で撮影された所定時間前（たとえば、一秒前）の一画像におけるサンプル点の輝度との差分から検出される。そして、この検出された差分が、予め定められた条件である輝度の変化量を超過している場合は、異常と判定される。
【００９０】
異常判定を行った島コンピュータ２３において、その判定の結果が、ホストコンピュータ２５へ通知される（異常通知、ステップ２２）。
異常通知を受け取ったホストコンピュータ２５において、島コンピュータ２３へ、その撮像装置１１の過去一定時間分（例えば、６０秒間分など）のＪＰＥＧ圧縮画像の転送が要求される（画像データ転送要求、ステップ２３）。
【００９１】
この画像データ転送要求にもとづいて、島コンピュータ２３からホストコンピュータ２５へ過去一定時間分のＪＰＥＧ圧縮画像が転送される（ステップ２４）。
ホストコンピュータ２５において、受け取られた画像データが、ホストコンピュータ２５の記憶装置に記憶され、ＪＰＥＧ伸長されて、ディスプレイ３１へ送出される（ステップ２５〜ステップ２７）。そして、ディスプレイ３１において、画像が表示される（ステップ２８）。
【００９２】
次に、島コンピュータ２３で行われる異常判定の具体例について、図９〜図１２を参照して説明する。
撮像装置１１が、遊技機４０の内部の一部を、図９に示すような構図で撮影している。この撮像装置１１で撮影された画像の一つを画像ａとする。
その後、不正行為が発生し、その遊技機４０の内部の一部に不正部品９０が取り付けられると、撮像装置１１で撮影される画像（画像ｂ）は、図１０に示すように、不正部品９０を含んだ遊技機４０の内部の一部を現すようになる。
【００９３】
島コンピュータ２３において、画像ｂが受け取られると、この画像ｂを撮影した撮像装置１１と同一の撮像装置１１で撮影された画像であって画像ｂから所定時間前のもの（画像ａ）が選び出される。
この選び出された画像ａと受け取った画像ｂとに対して、所定の座標を示す網掛け（サンプル点特定用網掛け）が、図１１，図１２に示すようにそれぞれ施され（画像ｃ，ｄ）、複数のサンプル点が各画像ｃ，ｄに同じ位置で特定される。
【００９４】
そして、各画像ａ，ｂにおける同じ位置同士のサンプル点について、それぞれ各状態情報（ここでは、輝度情報）の差分が検出される。
この検出された差分が所定量を超過しているときは、そのサンプル点が特定された位置で不正行為が発生したものと判断（判定）される。
一方、検出された差分が所定量を超過していないときは、そのサンプル点が特定された位置では不正行為が発生していないものと判断（判定）される。
【００９５】
ここで、図１１（画像ｃ）及び図１２（画像ｄ）のサンプル点Ｓ１及びサンプル点Ｓ２についてみてみると、画像ｃにおけるサンプル点Ｓ１及びサンプル点Ｓ２を含む範囲には、不正部品９０が取り付けられていない。これに対し、画像ｄにおけるサンプル点Ｓ１及びサンプル点Ｓ２を含む範囲には、不正部品９０が取り付けられている。
【００９６】
このため、画像ｃにおけるサンプル点Ｓ１及びサンプル点Ｓ２の輝度情報と、画像ｄにおけるサンプル点Ｓ１及びサンプル点Ｓ２の輝度情報とは、それぞれ異なった値を示すため、ある値を有した差分が検出される。
この差分は、所定量を超過しているため、島コンピュータ２３は、それらサンプル点Ｓ１及びサンプル点Ｓ２を含む範囲において不正行為が発生したものと判断（判定）する。
【００９７】
【発明の効果】
以上のように、本発明によれば、撮像手段が遊技機の筐体内部や前扉背面に設置されているため、その筐体内部や前扉背面における不正行為後の改造部分等をも直接映像として取り込むことができる。
このため、遊技ホールの管理者等は、表示手段に表示された画像が不正行為の実態を映し出していることから、不正行為が行われたか、不正行為の内容はどのようなものか、不正行為後の遊技機内部の状態がどうなっているかなどを、容易に判断・確認することができる。
したがって、不正行為の早期発見を可能とし、不正行為の監視や判断などについての遊技ホールの管理者等の業務負担を軽減できる。
【００９８】
さらに、不正行為の発生の確認が容易となり、その見落としが減少することから、不正行為の摘出率を向上できる。
そして、後日明らかになった不正行為についての発生時期や不正内容などを、その画像を用いて十分に証明できることから、不正監視システムの有用性を飛躍的に高めることができる。
【００９９】
加えて、島コンピュータで不正行為が発見されると、警報手段や自動通報手段が、遊技ホールの管理者等に対して、その発見された旨を知らせるため、不正行為の自動監視・自動通報が可能となる。
これにより、遊技ホールの管理者等は、不正行為の監視についての業務負担を軽減できる。
【図面の簡単な説明】
【図１】本発明の遊技機不正監視システムの構成を示すブロック図である。
【図２】撮像装置が各遊技機の内部に設けられた構成を示すブロック図である。
【図３】遊技機における撮像装置の設置位置の例を示す構成図である。
【図４】遊技機のパチンコ台が開いた状態における撮像装置の位置を示す構成図である。
【図５】ディスプレイのマルチ画像を示す図である。
【図６】本発明の遊技機不正監視システムの他の構成を示すブロック図である。
【図７】本発明の遊技機不正監視システムのさらに他の構成を示すブロック図である。
【図８】本発明の遊技機不正監視方法の手順を示す動作手順図である。
【図９】遊技機内の一部を映し出した画像を示す図である。
【図１０】図９の画像において不正部品が取り付けられている様子を示す図である。
【図１１】図９の画像にサンプル点特定用の網掛けを施した様子を示す図である。
【図１２】図１０の画像にサンプル点特定用の網掛けを施した様子を示す図である。
【符号の説明】
１　遊技機不正監視システム
１０　撮像手段
１１　撮像装置
２０　画像処理手段
２１−ａ〜２１−ｎ　中継装置（台中継装置）
２２　中継装置（島中継装置）
２３ａ〜２３ｎ　島コンピュータ
２４　スイッチング中継装置
２５　ホストコンピュータ
３０　表示手段
３１ａ〜３１ｎ　ディスプレイ
３２　マルチ画像
４０（４０−１１〜４０−１ｎ〜４０−ｎ１〜４０−ｎｎ）　遊技機
４１　筐体
４２　パチンコ台（前扉）
４３　撮像装置固定用支持部材
４４　遊技面
４５　監視エリア
４６　パチンコ台開方向
５０　警報手段
６０　自動通報手段
７０　モデム
８０　電話機
９０　不正部品
【図１】
2004141199.tif 000003
【図２】
2004141199.tif 000004
【図３】
2004141199.tif 000005
【図４】
2004141199.tif 000006
【図５】
2004141199.tif 000007
【図６】
2004141199.tif 000008
【図７】
2004141199.tif 000009
【図８】
2004141199.tif 000010
【図９】
2004141199.tif 000011
【図１０】
2004141199.tif 000012
【図１１】
2004141199.tif 000013
【図１２】
2004141199.tif 000014